(57)【要約】  モバイルデバイスの制限的な画面で使用者が複数のコンテンツの再生及び共有を指示することができるコンテンツ共有装置及び方法を提供する。本発明のコンテンツ共有装置は、一つ以上のコンテンツに対する使用者のタッチ入力を感知するタッチスクリーン、コンテンツを共有する命令語を保存するメモリ、命令語に従って送信映像を生成するプロセッサ、及び、外部デバイスとの連結を形成し、送信映像を外部デバイスに送信する通信部を含み、命令語は、外部デバイスに相応する領域を含むデバイスリストを表示する段階；コンテンツのうちの第１コンテンツに対する使用者のタッチ入力のうち第１コンテンツをデバイスリスト上の外部デバイスに相応する領域にドロップする入力に従って外部デバイスと連結する段階；送信映像を生成する段階；及び、送信映像を外部デバイスに送信する段階；の遂行のための命令語を含む。
2016533553.tif 000002
【特許請求の範囲】
【請求項１】
一つ以上のコンテンツに対する使用者のタッチ入力を感知するタッチスクリーン；
上記コンテンツを共有する命令語を保存するメモリ；
上記命令語に従って送信映像を生成するプロセッサ；及び、
外部デバイスと連結し、上記送信映像を上記外部デバイスに送信する通信部；
を含み、
上記命令語は、上記外部デバイスに相応する領域を含むデバイスリストを表示する段階；上記コンテンツのうちの第１コンテンツに対する使用者のタッチ入力のうち上記第１コンテンツをドラッグ（ｄｒａｇ）し上記デバイスリスト上の上記外部デバイスに相応する領域にドロップ（ｄｒｏｐ）する入力に従って上記外部デバイスと連結する段階；
上記送信映像を生成する段階；及び、
上記送信映像を上記外部デバイスに送信する段階；の遂行のための命令語を含むことを特徴とするコンテンツ共有装置。
【請求項２】
上記命令語は、上記コンテンツのうちの第２コンテンツを上記外部デバイスに相応する領域にドロップする入力が発生する場合、上記第１コンテンツに相応する送信映像の生成を中断する段階；及び、上記第２コンテンツに相応する送信映像を生成して上記外部デバイスに送信する段階；の遂行のための命令語を更に含むことを特徴とする請求項１に記載のコンテンツ共有装置。
【請求項３】
上記デバイスリストは、上記コンテンツを上記タッチスクリーンのあらかじめ指定された領域にドラッグする場合、上記あらかじめ指定された領域に表示されることを特徴とする請求項１に記載のコンテンツ共有装置。
【請求項４】
上記デバイスリストは、上記コンテンツを上記タッチスクリーンの一側端にドラッグする場合、上記一側端に表示されることを特徴とする請求項３に記載のコンテンツ共有装置。
【請求項５】
上記命令語は、上記外部デバイスから入力情報を受信する場合、制御インターフェースを上記送信映像に挿入して上記外部デバイスに送信する段階；及び、上記外部デバイスから上記制御インターフェースを操作する入力情報を受信する場合、上記制御インターフェースを操作する入力情報に従って上記コンテンツの再生を制御する段階；の遂行のための命令語を更に含むことを特徴とする請求項１に記載のコンテンツ共有装置。
【請求項６】
上記命令語は、他のデバイスとの連結があらかじめ形成されており、上記他のデバイスと上記外部デバイスが同時に連結を形成できないようにあらかじめ設定されている場合、上記他のデバイスとの連結を解除する段階の遂行のための命令語を更に含むことを特徴とする請求項１に記載のコンテンツ共有装置。
【請求項７】
上記命令語は、他のデバイスとの連結があらかじめ形成されており、上記他のデバイスと上記外部デバイスが同時に連結を形成できるようにあらかじめ設定されている場合、上記他のデバイスとの連結を維持する段階の遂行のための命令語を更に含むことを特徴とする請求項１に記載のコンテンツ共有装置。
【請求項８】
コンテンツ共有装置がコンテンツを共有する方法において、外部デバイスに相応する領域を含むデバイスリストを表示する段階；上記コンテンツのうちの第１コンテンツに対する使用者のタッチ入力のうち上記第１コンテンツをドラッグ（ｄｒａｇ）し上記デバイスリスト上の上記外部デバイスに相応する領域にドロップ（ｄｒｏｐ）する入力に従って上記外部デバイスと連結する段階；送信映像を生成する段階；及び、上記送信映像を上記外部デバイスに送信する段階；の遂行のための命令語を含むことを特徴とするコンテンツ共有方法。
【請求項９】
上記コンテンツのうちの第２コンテンツを上記外部デバイスに相応する領域にドロップする入力が発生する場合、上記第１コンテンツに相応する送信映像の生成を中断する段階；及び、上記第２コンテンツに相応する送信映像を生成して上記外部デバイスに送信する段階；を更に含むことを特徴とする請求項８に記載のコンテンツ共有方法。
【請求項１０】
上記デバイスリストは、上記コンテンツがタッチスクリーンのあらかじめ指定された領域にドラッグされる場合、上記あらかじめ指定された領域に表示されることを特徴とする請求項８に記載のコンテンツ共有方法。
【請求項１１】
上記デバイスリストは、上記コンテンツを上記タッチスクリーンの一側端にドラッグ（ｄｒａｇ）する場合、上記一側端に表示されることを特徴とする請求項１０に記載のコンテンツ共有方法。
【請求項１２】
上記外部デバイスから入力情報を受信する場合、制御インターフェースを上記送信映像に挿入して上記外部デバイスに送信する段階；及び、上記外部デバイスから上記制御インターフェースを操作する入力情報を受信する場合、上記制御インターフェースを操作する入力情報に従って上記コンテンツの再生を制御する段階；を更に含む請求項８に記載のコンテンツ共有方法。
【請求項１３】
他のデバイスとの連結があらかじめ形成されており、上記他のデバイスと上記外部デバイスが同時に連結を形成できないようにあらかじめ設定されている場合、上記他のデバイスとの連結を解除する段階を更に含む請求項８に記載のコンテンツ共有方法。
【請求項１４】
他のデバイスとの連結があらかじめ形成されており、上記他のデバイスと上記外部デバイスが同時に連結を形成できるようにあらかじめ設定されている場合、上記他のデバイスとの連結を維持する段階を更に含む請求項８に記載のコンテンツ共有方法。
【発明の詳細な説明】
【技術分野】
【０００１】
本発明は、コンテンツを再生する技術に関し、より詳しくは、複数のコンテンツを再生し共有する方法に関する。
【背景技術】
【０００２】
スマートフォンなどのモバイルデバイスは、性能上の問題により動画などのコンテンツを同時に一つだけ再生するようにするのが一般的である。しかし、最近、ソフトウェアで動画などのコンテンツをデコーディングして出力する方式とハードウェアを通してコンテンツをデコーディングして出力する方式が導入されるにつれて、モバイルデバイスでも複数のコンテンツを再生できるようになった。
【０００３】
また、モバイルデバイスは、複数のコンテンツを再生した映像を外部デバイスと共有する機能を提供することができる。しかし、使用者がどのような外部デバイスと連結してどのようなコンテンツを共有するかを小さなディスプレイモジュールを備えたスマートフォンに指示するための従来のユーザインターフェースは、コンテンツ共有を指示するにあたって不便な点がある。
【発明の概要】
【発明が解決しようとする課題】
【０００４】
本発明が解決しようとする課題は、モバイルデバイスの制限的な画面で使用者が複数のコンテンツの再生及び共有を指示することができるコンテンツ共有装置及び方法を提供することである。
【課題を解決するための手段】
【０００５】
本発明の一側面によると、一つ以上のコンテンツに対する使用者のタッチ入力を感知するタッチスクリーン；上記コンテンツを共有する命令語を保存するメモリ；上記命令語に従って送信映像を生成するプロセッサ；及び、外部デバイスと連結し、上記送信映像を上記外部デバイスに送信する通信部；を含み、上記命令語は、上記外部デバイスに相応する領域を含むデバイスリストを表示する段階；上記コンテンツのうちの第１コンテンツに対する使用者のタッチ入力のうち上記第１コンテンツをドラッグ（ｄｒａｇ）し上記デバイスリスト上の上記外部デバイスに相応する領域にドロップ（ｄｒｏｐ）する入力に従って上記外部デバイスと連結する段階；上記送信映像を生成する段階；及び、上記送信映像を上記外部デバイスに送信する段階；の遂行のための命令語を含むことを特徴とするコンテンツ共有装置が提供される。
【０００６】
上記命令語は、上記コンテンツのうちの第２コンテンツを上記外部デバイスに相応する領域にドロップする入力が発生する場合、上記第１コンテンツに相応する送信映像の生成を中断する段階；及び、上記第２コンテンツに相応する送信映像を生成して上記外部デバイスに送信する段階；の遂行のための命令語を更に含むことができる。
【０００７】
上記デバイスリストは、上記コンテンツを上記タッチスクリーンのあらかじめ指定された領域にドラッグする場合、上記あらかじめ指定された領域に表示されることができる。
上記デバイスリストは、上記コンテンツを上記タッチスクリーンの一側端にドラッグする場合、上記一側端に表示されることができる。
【０００８】
上記命令語は、上記外部デバイスから入力情報を受信する場合、制御インターフェースを上記送信映像に挿入して上記外部デバイスに送信する段階；及び、上記外部デバイスから上記制御インターフェースを操作する入力情報を受信する場合、上記制御インターフェースを操作する入力情報に従って上記コンテンツの再生を制御する段階；の遂行のための命令語を更に含むことができる。
【０００９】
上記命令語は、他のデバイスとの連結があらかじめ形成されており、上記他のデバイスと上記外部デバイスが同時に連結を形成できないようにあらかじめ設定されている場合、上記他のデバイスとの連結を解除する段階の遂行のための命令語を更に含むことができる。
【００１０】
上記命令語は、他のデバイスとの連結があらかじめ形成されており、上記他のデバイスと上記外部デバイスが同時に連結を形成できるようにあらかじめ設定されている場合、上記他のデバイスとの連結を維持する段階の遂行のための命令語を更に含むことができる。
【００１１】
本発明の他の側面によると、コンテンツ共有装置がコンテンツを共有する方法において、外部デバイスに相応する領域を含むデバイスリストを表示する段階；上記コンテンツのうちの第１コンテンツに対する使用者のタッチ入力のうち上記第１コンテンツをドラッグ（ｄｒａｇ）し上記デバイスリスト上の上記外部デバイスに相応する領域にドロップ（ｄｒｏｐ）する入力に従って上記外部デバイスと連結する段階；上記送信映像を生成する段階；及び、送信映像を上記外部デバイスに送信する段階；の遂行のための命令語を含むことを特徴とするコンテンツ共有方法が提供される。
【００１２】
上記コンテンツ共有方法は、上記コンテンツのうちの第２コンテンツを上記外部デバイスに相応する領域にドロップする入力が発生する場合、上記第１コンテンツに相応する送信映像の生成を中断する段階；及び、上記第２コンテンツに相応する送信映像を生成して上記外部デバイスに送信する段階；を更に含むことができる。
【００１３】
上記デバイスリストは、上記コンテンツがタッチスクリーンのあらかじめ指定された領域にドラッグされる場合、上記あらかじめ指定された領域に表示されることができる。
【００１４】
上記デバイスリストは、上記コンテンツを上記タッチスクリーンの一側端にドラッグする場合、上記一側端に表示されることができる。
【００１５】
上記コンテンツ共有方法は、上記外部デバイスから入力情報を受信する場合、制御インターフェースを上記送信映像に挿入して上記外部デバイスに送信する段階；及び、上記外部デバイスから上記制御インターフェースを操作する入力情報を受信する場合、上記制御インターフェースを操作する入力情報に従って上記コンテンツの再生を制御する段階；を更に含むことができる。
【００１６】
上記コンテンツ共有方法は、他のデバイスとの連結があらかじめ形成されており、上記他のデバイスと上記外部デバイスが同時に連結を形成できないようにあらかじめ設定されている場合、上記他のデバイスとの連結を解除する段階を更に含むことができる。
【００１７】
上記コンテンツ共有方法は、他のデバイスとの連結があらかじめ形成されており、上記他のデバイスと上記外部デバイスが同時に連結を形成できるようにあらかじめ設定されている場合、上記他のデバイスとの連結を維持する段階を更に含むことができる。
【発明の効果】
【００１８】
上述のように本発明によれば、使用者がモバイルデバイスのタッチスクリーンを通してコンテンツを外部デバイスと共有するための命令を容易に入力することができる。
【図面の簡単な説明】
【００１９】
【図１】本発明の一実施例によるコンテンツ共有装置を例示したブロック図である。
【図２】本発明の一実施例によるコンテンツ共有装置がユーザインターフェースを通してコンテンツを共有する例を示した図面である。
【図３】本発明の一実施例によるコンテンツ共有装置がユーザインターフェースを通してコンテンツを共有する他の例を示した図面である。
【図４】本発明の一実施例によるコンテンツ共有装置が複数のデバイスに対してコンテンツを共有する過程の一例を示した図面である。
【図５】本発明の一実施例によるコンテンツ共有装置が複数のデバイスに対してコンテンツを共有する過程の他の例を示した図面である。
【図６】本発明の一実施例によるコンテンツ共有装置がデバイスリストを表示する過程を例示した図面である。
【図７】本発明の一実施例によるコンテンツ共有装置が生成した送信映像を表示した画面を例示した図面である。
【図８】本発明の一実施例によるコンテンツ共有装置がコンテンツを共有する過程を例示した流れ図である。
【発明を実施するための形態】
【００２０】
本発明は、多様な変更の付加が可能であり、様々な実施例を有することができるため、特定の実施例を図面に例示しこれを詳細な説明で詳しく説明する。しかし、これは、本発明を特定の実施形態に対して限定しようとするものではなく、本発明の思想及び技術範囲に含まれる全ての変更、均等物ないし代替物を含むものと理解されなければならない。
【００２１】
また、本明細書で、一構成要素が他の構成要素に信号を“送信する”と言及された時は、上記一構成要素が上記他の構成要素と直接連結されて信号を送信することができるが、特に反対の記載が存在しない以上、中間にまた他の構成要素を媒介して信号を送信することもできると理解されなければならない。
【００２２】
図１は、本発明の一実施例によるコンテンツ共有装置を例示したブロック図である。
【００２３】
図１を参照すると、コンテンツ共有装置は、タッチスクリーン１１０、メモリ１２０、プロセッサ１３０及び通信部１４０を含む。
【００２４】
タッチスクリーン１１０は、プロセッサ１３０から受信した映像を表示する。また、タッチスクリーン１１０は、当該タッチスクリーン１１０上に使用者の指またはペンなどを通してタッチ入力を受けて入力情報を生成することができる。この時、タッチ入力は、使用者がタッチスクリーン上をタッチする入力、指またはペンをタッチスクリーン１１０上から離す入力、指またはペンをタッチスクリーン１１０上に接触させた状態で移動する入力（ドラッグ（ｄｒａｇ）入力）及びタッチによる圧力のうち一つ以上を含むことができる。入力情報は、上述の入力を示す情報である。タッチスクリーン１１０は、入力情報をプロセッサ１３０に送信する。
【００２５】
メモリ１２０は、一つ以上のコンテンツを再生するためのユーザインターフェース（Ｕｓｅｒ  Ｉｎｔｅｒｆａｃｅ）及び命令語を含むプログラム、一つ以上のコンテンツを保存する。
【００２６】
プロセッサ１３０は、メモリ１２０に保存された命令語に従ってコンテンツをユーザインターフェースを通して再生する映像を生成しタッチスクリーン１１０に送信する。以下、プロセッサ１３０がユーザインターフェースを通して映像を生成しタッチスクリーン１１０を通して表示する過程は、当業者にとって自明な事項であるため、これに関する詳しい説明は省略する。この時、ユーザインターフェースは、再生されているコンテンツをサムネイルイメージで表示するサムネイルイメージ領域、コンテンツが使用者によって設定された位置及びサイズで表示される主領域を含む。この時、プロセッサ１３０は、使用者がサムネイルイメージで表示されたコンテンツをタッチ及びドラッグして主領域の一側端に移動させる場合、当該コンテンツ共有装置と連結可能な一つ以上の外部デバイスを示すデバイスリストを表示する。この時、デバイスリストは、当該コンテンツ共有装置との連結が可能な一つ以上の外部デバイス各々に対するアイコンまたはボタンを含むことができる。また、プロセッサ１３０は、通信部１４０を介して外部デバイスとの連結を進行し、連結された外部デバイスに送信する送信映像を生成することができる。例えば、プロセッサ１３０は、第１コンテンツ２１０を全体画面で再生する送信映像を生成することができる。プロセッサ１３０は、送信映像を通信部１４０を介して外部デバイスに送信することができる。この時、外部デバイスは、モバイルデバイス、テレビなど、通信部１４０とあらかじめ指定された通信プロトコルを通して連結され送信映像を受信して表示することができるデバイスであり得る。
【００２７】
通信部１４０は、プロセッサ１３０の制御に従って外部デバイスとの連結を行なったり、連結された外部デバイスに送信映像を送信したりする。また、通信部１４０は、外部デバイスからコンテンツを受信してプロセッサ１３０に送信することができる。この時、プロセッサ１３０は、コンテンツをメモリ１２０に保存し追って再生することができる。また、通信部１４０は、公知の方式の通信モジュールを複数含むことができる。
【００２８】
図２は、本発明の一実施例によるコンテンツ共有装置がユーザインターフェースを通してコンテンツを共有する例を示した図面である。
【００２９】
図２を参照すると、サムネイルイメージ領域２０８では複数のコンテンツがサムネイルイメージで再生されることができる。使用者からコンテンツのうち何れか一つ２１０をタッチして主領域２０４にドラッグする入力を受ける場合、プロセッサ１３０はコンテンツを使用者がドラッグした地点に移動させる。この時、プロセッサ１３０は、主領域２０４上にあらかじめ指定された使用者の入力に従って第１コンテンツ２１０を再生していると仮定する。
【００３０】
プロセッサ１３０は、タッチスクリーン１１０を通して使用者が主領域２０４で再生されている第１コンテンツ２１０をタッチ及びドラッグして、デバイスリスト上に表示された各デバイスに相応する領域のうち何れか一つに該当する領域（図２を参照して例を挙げると、デバイス３に該当する領域）上にドロップ（ｄｒｏｐ）する入力を受けることができる。この時、デバイスリストは、デバイス１、デバイス２、デバイス３及びデバイス４と当該コンテンツ共有装置が連結できることを示すために、各デバイスに相応する領域を表示していると仮定する。
【００３１】
プロセッサ１３０は、コンテンツをドロップする入力に従って該当コンテンツがドロップされた領域に相応するデバイスとの連結を行ない、該当入力に従って第１コンテンツ２１０をミラーリング（ｍｉｒｒｏｒｉｎｇ）した送信映像を生成し、送信映像を該当領域に相応するデバイス（例えば、デバイス３）に通信部１４０を介して送信する。
【００３２】
また、プロセッサ１３０は、タッチスクリーン１１０を通して使用者がサムネイルイメージ領域２０８のコンテンツのうちの何れか一つである第２コンテンツ２２０をタッチ及びドラッグして、デバイスリスト上に表示された各デバイスに相応する領域のうち何れか一つにドロップする入力を受けることができる。プロセッサ１３０は、該当入力に従って第２コンテンツ２２０をミラーリングした送信映像を生成し、送信映像をコンテンツがドロップされた該当領域に相応するデバイスに通信部１４０を介して送信する。
【００３３】
図３は、本発明の一実施例によるコンテンツ共有装置がユーザインターフェースを通してコンテンツを共有する他の例を示した図面である。
【００３４】
図３を参照すると、コンテンツ共有装置は、あらかじめ指定されたイベント（例えば、使用者があらかじめ指定されたボタンをタッチ）が発生する場合、当該コンテンツ共有装置の画面をミラーリングして送信画面を生成し、送信画面を外部デバイスに送信することができる。この時、使用者がタッチスクリーン１１０上の主領域２０４のイメージ（例えば、第１コンテンツ２１０）か、サムネイルイメージ領域２０８上のサムネイルイメージ一つ（例えば、第２コンテンツ２２０のサムネイルイメージ）をドラッグして、デバイスリスト上の当該コンテンツ共有装置の画面をミラーリングした送信画面が送信されている外部デバイスに相応する特定領域にドロップする場合、プロセッサ１３０は第１コンテンツ２１０または第２コンテンツ２２０を全体画面とする送信映像を生成し、該当特定領域に相応するデバイス（図３を参照して例を挙げると、デバイス３）に送信することができる。よって、該当送信映像を受信したデバイスは、第１コンテンツ２１０または第２コンテンツ２２０を出力することができる。すなわち、本発明の一実施例によるコンテンツ共有装置は、主領域２０４上に位置したコンテンツをドラッグアンドドロップを通して外部デバイスに出力する場合、当該コンテンツ共有装置の画面をミラーリングする送信映像を生成する。また、コンテンツ共有装置は、サムネイルイメージ領域２０８上に位置したコンテンツをドラッグアンドドロップを通して外部デバイスに出力する場合、サムネイルイメージ領域２０８上に位置した該当コンテンツを全体画面とする送信映像を生成する。
【００３５】
よって、使用者は、小型のタッチスクリーン１１０を通したコンテンツに対するドラッグアンドドロップ入力によって簡単に特定コンテンツをミラーリングした画面を通した表示を要請する命令を外部デバイスに送ることができる。すなわち、ＰＣとは異なり、小型のタッチスクリーン１１０を通して一般的なメニュー及びボタンにより共有するコンテンツを選択し、送信映像を受信するデバイスを選択する入力をする場合、誤操作が生じる可能性が高く、色々なメニューからアイテムを選択する過程を繰り返して行うため、長時間かかり何度もタッチしなければならないなど、使用者にかかる疲労度が高い。よって、本発明の一実施例によるコンテンツ共有装置は、小型のタッチスクリーン１１０を通したデバイス間のコンテンツ共有を要請する入力を使用者が直観的に且つ簡単にできるようにすることが可能である。
【００３６】
図４は、本発明の一実施例によるコンテンツ共有装置が複数のデバイスに対してコンテンツを共有する過程の一例を示した図面であり、図５は、本発明の一実施例によるコンテンツ共有装置が複数のデバイスに対してコンテンツを共有する過程の他の例を示した図面である。一般的に、通信部１４０に含まれる通信モジュールによって、複数のデバイスのうち一つだけが連結できるか、同時に複数のデバイスと連結できる。これにより、メモリ１２０は、特定デバイス間には同時に連結できないようにあらかじめ設定された命令語を含むことができる。また、プロセッサ１３０は、該当命令語に従って現在連結が維持されているデバイスと新規で連結が形成されなければならないデバイスが同時に連結できないようにあらかじめ設定されている場合、現在連結が維持されているデバイスに対する連結を解除する過程を行うことができる。
【００３７】
以下、本発明の一実施例によるコンテンツ共有装置は、デバイス１乃至デバイス３に同時に送信映像を送信することはできず、デバイス１乃至デバイス３のうち何れか一つとデバイス４に同時に送信映像を送信することができると仮定して説明する。
【００３８】
図４を参照すると、コンテンツ共有装置のタッチスクリーン１１０を通した使用者のタッチ入力が第３コンテンツ２４０をドラッグして、デバイス１に相応するデバイスリストの領域にドロップする入力である場合、プロセッサ１３０は、第３コンテンツ２４０をミラーリングした送信画面を生成し通信部１４０を介してデバイス１に送信する。その後、コンテンツ共有装置のタッチスクリーン１１０を通した使用者のタッチ入力が第２コンテンツ２２０をドラッグして、デバイス３に相応するデバイスリストの領域にドロップする入力である場合、プロセッサ１３０は、第３コンテンツ２４０の送信映像生成及び送信を中断し、デバイス１との連結を終了する。その後、プロセッサ１３０は、デバイス３との連結を進行した後、第２コンテンツ２２０の送信映像を生成し、デバイス３に送信映像を送信することができる。
【００３９】
しかし、デバイス１乃至デバイス３のうち何れか一つとデバイス４に同時に送信映像を送信することができる。したがって、プロセッサ１３０は、既存連結が形成されて送信映像が送信されているデバイスと、使用者の新しいタッチ入力に従って連結が形成されなければならないデバイスに同時に送信映像を送信できることを確認し、既存連結を通した送信映像の送信を維持しながら新しいデバイスとの連結を進行し、新しい連結を通して新規送信映像を外部デバイスに送信することができる。
【００４０】
図５を参照して例を挙げると、プロセッサ１３０は、コンテンツ共有装置のタッチスクリーン１１０を通した使用者のタッチ入力が第３コンテンツ２４０をドラッグして、デバイス１に相応するデバイスリストの領域にドロップする入力である場合、プロセッサ１３０は、第３コンテンツ２４０をミラーリングした送信画面を生成し通信部１４０を介してデバイス１に送信する。その後、コンテンツ共有装置のタッチスクリーン１１０を通した使用者のタッチ入力が第２コンテンツ２２０をドラッグして、デバイス４に相応するデバイスリストの領域にドロップする入力である場合、プロセッサ１３０は、第３コンテンツ２４０の送信映像生成及び送信を維持しながらデバイス４との連結を進行した後、第２コンテンツ２２０の送信映像を生成し、デバイス４に送信映像を送信することができる。
【００４１】
この時、コンテンツ共有装置のプロセッサ１３０は、同時に連結を維持することができないデバイスをまとめて表示して、コンテンツのドロップにより現在連結が維持されているデバイスへの送信画面の送信が中断され得ることを使用者に認知させることができる。例えば、プロセッサ１３０は、デバイス１乃至デバイス３に相応する全ての領域を取り囲む単一閉曲線を表示して、デバイス１乃至デバイス３は連結の同時維持が不可能であることを示すことができる。
【００４２】
また、プロセッサ１３０は、各デバイスのうち現在連結が維持されているデバイスに相応するデバイスリスト上の領域の色を他領域と区分して表示するか、連結が維持されていることを示す標識を該当領域上に表示することができる。
【００４３】
上述のコンテンツ共有装置は、デバイスリストをタッチスクリーン１１０の画面上に表示することを維持することと説明したが、普段はデバイスリストが画面に表示されず特定イベントに限定してデバイスリストが表示されるように具現できる。以下、図６を参照して、デバイスリストが特定イベントである使用者のドラッグ入力に従って表示される過程を詳しく説明する。
【００４４】
図６は、本発明の一実施例によるコンテンツ共有装置がデバイスリストを表示する過程を例示した図面である。
【００４５】
図６を参照すると、プロセッサ１３０は、図６（ａ）のようにデバイスリストを普段は表示しないようにすることができる。この時、使用者がタッチスクリーン１１０を通して第２コンテンツ２２０を選択し、画面の一側端（図６（ａ）では右側端）にドラッグする。プロセッサ１３０は、使用者のドラッグ入力が画面の一側端にコンテンツをドラッグするものである場合、デバイスリスト２３０を図６のように該当一側端に表示する。よって、使用者は、デバイスリスト２３０が表示されることにより、デバイスリストのうち何れか一つの領域に該当コンテンツをドロップして該当コンテンツを外部デバイスと共有することができる。図６を参照して、コンテンツを画面の一側端にドラッグした時、デバイスリストを表示することと上述したが、具現方法によってあらかじめ設定された領域上にコンテンツをドラッグした場合、デバイスリストが該当領域に表示され得る。
【００４６】
図７は、本発明の一実施例によるコンテンツ共有装置が生成した送信映像を表示した画面を例示した図面である。
【００４７】
図７を参照すると、コンテンツ共有装置のプロセッサ１３０は、送信映像５１０，５２０を生成し各々の外部デバイスに通信部１４０を介して送信することができる。この時、プロセッサ１３０は、各送信映像５１０，５２０をタッチスクリーン１１０を通して表示しながら、該当送信映像５１０，５２０を各外部デバイスに送信して各外部デバイスが該当送信映像を表示するようにすることができる。
【００４８】
この時、プロセッサ１３０は、各送信映像上に制御インターフェース５３０，５４０を含ませて各外部デバイスに送信することができる。すなわち、プロセッサ１３０は、各送信映像上に制御インターフェース５３０，５４０が表示されるように送信映像を補正することができる。この時、制御インターフェースは、送信映像に該当するコンテンツの再生、再生停止、早戻し、早送りなどの一般的な制御を命令するためのインターフェースであり得る。
【００４９】
よって、各外部デバイスは、送信映像を表示し、送信映像上に表示された制御インターフェースを使用者がタッチする入力を受けることができる。例えば、外部デバイスがタッチスクリーンを備えたモニターである場合、外部デバイスはコンテンツ共有装置から制御インターフェースが含まれた送信映像を受信し、該当映像を画面上に表示することができる。この時、外部デバイスは、使用者のタッチが感知される場合、該当タッチによる入力情報（例えば、タッチが発生した地点の座標）を生成しコンテンツ再生装置に送信することができる。コンテンツ共有装置は、外部デバイスから受信した入力情報によって使用者が制御インターフェースに対するタッチ入力をしたことを確認し、該当タッチ入力に従って送信映像に相応するコンテンツの再生を制御することができ、このような外部デバイスに送信されたコンテンツに対する動作制御は、プロセッサ１３０で、コンテンツ共有装置の主領域のコンテンツに対する制御と独立的に、且つ同時になされ得ることを特徴とする。
【００５０】
よって、使用者は、単一コンテンツ共有装置を通して複数のデバイスで出力されるコンテンツの再生を各デバイスを通して独立的に、同時に制御することができる。
【００５１】
図８は、本発明の一実施例によるコンテンツ共有装置がコンテンツを共有する過程を例示した流れ図である。
【００５２】
図８を参照すると、段階６１０でコンテンツ共有装置は、サムネイルイメージ領域２０３に一つ以上のコンテンツを表示する。この時、各コンテンツは、通信部１４０を介して外部デバイスから受信したコンテンツ、カメラ（図示せず）の撮影を通して生成したコンテンツなどであり得る。
【００５３】
段階６２０でコンテンツ共有装置は、使用者のタッチスクリーン１１０上のタッチ入力を感知する。この時、タッチ入力は、タッチ、ドラッグ、タッチ解除（ドロップ）など、タッチスクリーン１１０上に使用者が行なえる公知の入力であり得る。
【００５４】
段階６３０でコンテンツ共有装置は、タッチ入力のうちドラッグ入力に従ってデバイスリストを表示する。例えば、コンテンツ共有装置は、使用者のドラッグ入力がコンテンツをタッチスクリーン１１０に表示された画面の端にドラッグする入力である場合、該当コンテンツがドラッグされた位置に相応する端にデバイスリストを表示する。
【００５５】
段階６４０でコンテンツ共有装置は、使用者のドロップ入力に従ってコンテンツの共有のための連結を行う。例えば、コンテンツ共有装置は、使用者のドロップ入力が、該当コンテンツがデバイスリストに表示されたある領域にドロップされる入力である場合、該当領域に相応する外部デバイスとの連結を行う。
【００５６】
段階６５０でコンテンツ共有装置は、ドラッグされたコンテンツに相応する送信映像を生成して外部デバイスに送信する。
【００５７】
段階６６０でコンテンツ共有装置は、外部デバイスから使用者のタッチが感知されたことを示す入力情報を受信する。
【００５８】
段階６７０でコンテンツ共有装置は、段階６５０で生成した送信映像に制御インターフェースを挿入して外部デバイスに送信する。
【００５９】
段階６８０でコンテンツ共有装置は、外部デバイスから使用者の外部デバイスに対するタッチ入力による入力情報を受信する。
【００６０】
段階６９０でコンテンツ共有装置は、段階６８０で受信した入力情報が制御インターフェース上をタッチするタッチ入力を示す場合、制御インターフェースのタッチによってコンテンツの再生を制御する。例えば、使用者が外部デバイスに表示された制御インターフェースの２倍速再生ボタンをタッチする場合、外部デバイスは使用者の２倍速ボタンタッチによる入力情報をコンテンツ共有装置に送信する。コンテンツ共有装置は、入力情報を確認して使用者が２倍速ボタンをタッチしたことを認識し、コンテンツを２倍速で再生する。また、コンテンツ共有装置は、２倍速で再生されるコンテンツによって送信映像を生成し外部デバイスに送信することができる。
【００６１】
上述の段階６４０は、コンテンツがドロップされた領域に相応する外部デバイスと当該コンテンツ共有装置との連結がなされていない時に行われる段階である。もし、コンテンツがドロップされた領域に相応する外部デバイスと当該コンテンツ共有装置との連結が以前になされて維持されている場合、段階６４０は省略可能である。また、図４を通して上述したように、コンテンツ共有装置は、現在連結されているデバイスと同時に送信映像を送信することができないデバイスに相応する領域にコンテンツがドロップされる場合、現在連結されているデバイスとの連結を解除し、新規デバイスに対する連結を進行することができる。その反面、図５を通して上述したように、コンテンツ共有装置は、現在連結されているデバイスと同時に送信映像を送信することができるデバイスに相応する領域にコンテンツがドロップされる場合、現在連結されているデバイスに対する連結を解除せずに、新規デバイスに対する連結を進行することができる。
【００６２】
これまで本発明についてその実施例を中心に考察した。上述の実施例以外の多くの実施例が本発明の特許請求の範囲内に存在する。本発明の属する技術分野において通常の知識を有する者は、本発明が本発明の本質的な特性から逸脱しない範囲で変形された形態で具現され得ることを理解できるはずである。従って、開示された実施例は、限定的な観点ではなく説明的な観点で考慮されなければならない。本発明の範囲は、上述の説明ではなく特許請求の範囲に示されており、それと同等の範囲内にある全ての差異点は本発明に含まれることと解釈されなければならない。
【図１】
2016533553.tif 000003
【図２】
2016533553.tif 000004
【図３】
2016533553.tif 000005
【図４】
2016533553.tif 000006
【図５】
2016533553.tif 000007
【図６】
2016533553.tif 000008
【図７】
2016533553.tif 000009
【図８】
2016533553.tif 000010
【国際調査報告】
2016533553.tif 000011
2016533553.tif 000012
2016533553.tif 000013
2016533553.tif 000014